(57)【特許請求の範囲】
【請求項１】
所定の間隔を置いて互いに対向配置される第１及び第２基板と、
前記第１及び第２基板の間に形成され、複数のセル空間を提供する隔壁と、
電気的及び光学的異方性を有する回転体、又は、互いに異なる帯電特性を有する２種類の粒子が分散された透明流体が封入されたマイクロカプセル、又は、透明流体及び当該透明流体に分散された互いに異なる帯電特性を有する２種類の帯電粒子である第１、第２のディスプレイユニットと、
を備え、
前記第１ディスプレイユニットが、前記セル空間に配置され、
前記第２ディスプレイユニットが、前記第１基板若しくは前記第２基板又は前記隔壁の何れかの領域に形成された溝に収容されている
ことを特徴とする電子ペーパー表示装置。
【請求項２】
前記第１ディスプレイユニットは、メイン画像を表示し、前記第２ディスプレイユニットは補助画像を表示するものであって、前記第２ディスプレイユニットは前記第１ディスプレイユニットと同一の色相を表示する、請求項１に記載の電子ペーパー表示装置。
【請求項３】
前記第１ディスプレイユニットは、互いに異なる帯電特性を有する第１及び第２表示領域を有し、前記第１表示領域は赤色、緑色及び青色のいずれかに着色され、前記第２表示領域は黒色または白色に着色された回転体である、請求項１に記載の電子ペーパー表示装置。
【請求項４】
前記第１ディスプレイユニットは、互いに異なる色に着色され、互いに異なる帯電特性を有する２つの表示領域を有する回転体であり、前記第２ディスプレイユニットは、前記第１基板に形成された溝に収容され、互いに異なる帯電特性を有する２種類の帯電粒子が分散された透明流体が封入されたマイクロカプセルである、請求項１に記載の電子ペーパー表示装置。
【請求項５】
前記第１ディスプレイユニットは、互いに異なる色に着色され、互いに異なる帯電特性を有する２つの表示領域を有する回転体であり、前記第２ディスプレイユニットは前記隔壁に形成された溝に収容され、互いに異なる帯電特性を有する２種類の帯電粒子が分散された透明流体が封入されたマイクロカプセルである、請求項１に記載の電子ペーパー表示装置。
【請求項６】
前記第１ディスプレイユニットは、互いに異なる色に着色され、互いに異なる帯電特性を有する２つの表示領域を有する回転体であり、前記第２ディスプレイユニットは前記第２基板に形成された溝に収容され、互いに異なる帯電特性を有する２種類の帯電粒子が分散された透明流体が封入されたマイクロカプセルである、請求項１に記載の電子ペーパー表示装置。
【請求項７】
第1基板の上の隔壁に対応する位置に、電気的及び光学的異方性を有する回転体、又は、互いに異なる帯電特性を有する２種類の粒子が分散された透明流体が封入されたマイクロカプセル、又は、透明流体及び当該透明流体に分散された互いに異なる帯電特性を有する２種類の帯電粒子である第２ディスプレイユニットを、収容するための溝を形成する段階と、
前記第2ディスプレイユニットを前記溝に収容する段階と、
前記第１基板上の空間を分けて複数のセル空間を形成するように前記隔壁を形成する段階と、
前記各セル空間に、電気的及び光学的異方性を有する回転体、又は、互いに異なる帯電特性を有する２種類の粒子が分散された透明流体が封入されたマイクロカプセル、又は、透明流体及び当該透明流体に分散された互いに異なる帯電特性を有する２種類の帯電粒子である第１ディスプレイユニットを、配置する段階と、
前記第１基板に対向配置され、前記セル空間を覆うように第２基板を接着する段階と、
を含む電子ペーパー表示装置の製造方法。
【請求項８】
第１基板を設ける段階と、
前記第１基板上の空間を分けて複数のセル空間を形成し、電気的及び光学的異方性を有する回転体、又は、互いに異なる帯電特性を有する２種類の粒子が分散された透明流体が封入されたマイクロカプセル、又は、透明流体及び当該透明流体に分散された互いに異なる帯電特性を有する２種類の帯電粒子である第２ディスプレイユニットを収容するための溝を有する隔壁を形成する段階と、
前記第2ディスプレイユニットを前記溝に収容する段階と、
前記各セル空間に、電気的及び光学的異方性を有する回転体、又は、互いに異なる帯電特性を有する２種類の粒子が分散された透明流体が封入されたマイクロカプセル、又は、透明流体及び当該透明流体に分散された互いに異なる帯電特性を有する２種類の帯電粒子である第１ディスプレイユニットを、配置する段階と、
前記第１基板に対向配置され、前記セル空間を覆うように第２基板を接着する段階と、
を含む電子ペーパー表示装置の製造方法。
【請求項９】
第１基板を設ける段階と、
前記第１基板上の空間を分けて複数のセル空間を形成するように隔壁を形成する段階と、
前記各セル空間に、電気的及び光学的異方性を有する回転体、又は、互いに異なる帯電特性を有する２種類の粒子が分散された透明流体が封入されたマイクロカプセル、又は、透明流体及び当該透明流体に分散された互いに異なる帯電特性を有する２種類の帯電粒子である第１ディスプレイユニットを、配置する段階と、
前記第2基板のうち前記隔壁に対応する位置に、電気的及び光学的異方性を有する回転体、又は、互いに異なる帯電特性を有する２種類の粒子が分散された透明流体が封入されたマイクロカプセル、又は、透明流体及び当該透明流体に分散された互いに異なる帯電特性を有する２種類の帯電粒子である第2ディスプレイユニットを、収容するための溝を形成する段階と、
前記第２ディスプレイユニットを、前記溝に収容する段階と、
前記第２基板を前記第１基板に対向配置し、前記セル空間を覆うように接着する段階と、
を含む電子ペーパー表示装置の製造方法。
【発明の詳細な説明】
【技術分野】
【０００１】
本発明は、電子ペーパー表示装置及びその製造方法に関し、より詳しくは、画像精度に優れ、優れた対照比及び明るさを有する電子ペーパー表示装置及びその製造方法に関する。
【背景技術】
【０００２】
近年、新しいパラダイムが求められる情報社会に相応し、情報の伝達及び共有方式における大変換が求められている。これに応えるために、柔軟なディスプレイとして、曲げることができるという長所を有する電子ペーパーの技術開発が加速化されており、電子ペーパーの技術開発は商業的な開発段階に入っている。
【０００３】
電子ペーパーは既存の平面ディスプレイパネルに比べて生産コストが安く、静止画面のように背景照明や持続的な再充電を必要としないため、非常に少ないエネルギーで駆動することができ、エネルギー効率も極めて高い。また、電子ペーパーは非常に鮮明であり、視野角が広く、電源がなくても文字が完全に消えないメモリーの機能も有する。このような長所により、電子ペーパーは、紙のような面と動くイラストレーションを有する電子書籍、自ら更新する新聞、移動電話向けの再使用可能なペーパーディスプレイ、廃棄可能なＴＶスクリーン、及び電子壁紙など、実に幅広い分野に応用できるなど、巨大な潜在市場を有している。
【０００４】
電子ペーパーを具現するための技術的な接近方式は、大別して４つに分けられるが、互いに反対の電荷と異なる色相を有する上下半球で構成された球状の粒子を電界を利用して回転させるツイストボール方式、オイルに混合された有色帯電粒子をマイクロカプセルまたはマイクロカップ内に閉じ込めるか、帯電粒子そのものを電場の印加に応答させる電気泳動方式、帯電された粉流体を利用するＱＲ−ＬＰＤ（Ｑｕｉｃｋ  Ｒｅｓｐｏｎｓｅ−Ｌｉｑｕｉｄ  Ｐｏｗｅｒ  Ｄｉｓｐｌａｙ）方式、コレステリック液晶分子の選択的反射特性を利用するコレステリック液晶ディスプレイ方式などがある。
【０００５】
その中でも、ツイストボールを用いる方式は、セル内部が透明媒質で満たされており、透明媒質内に互いに反対の電荷と異なる色相、例えば、黒色と白色に着色されたツイストボール（または回転体）が配置される。上記ツイストボールに電圧が印加されると、印加された電圧方向によってツイストボールに印加された荷電符号の極性が作用し互いに反対の極性が前面に向かうように回転し、白黒が表示される。
【発明の概要】
【発明が解決しようとする課題】
【０００６】
本発明は、画像精度に優れ、優れた対照比及び明るさを有する電子ペーパー表示装置及びその製造方法を提供する。
【課題を解決するための手段】
【０００７】
本発明の一実施形態は、所定の間隔を置いて互いに対向配置される第１及び第２基板と、上記第１及び第２基板の間に形成され、複数のセル空間を提供する隔壁と、上記セル空間に配置される第１ディスプレイユニットと、上記第１基板、上記第２基板及び上記隔壁の少なくとも一方の領域に挿入される第２ディスプレイユニットと、を含む電子ペーパー表示装置を提供する。
【０００８】
上記第１ディスプレイユニットは、メイン画像を表示し、上記第２ディスプレイユニットは補助画像を表示するものであって、上記第２ディスプレイユニットは上記第１ディスプレイユニットと同一の色相を表示することができる。
【０００９】
上記第１ディスプレイユニットは、互いに異なる色に着色され、互いに異なる帯電特性を有する２つの表示領域を有する回転体であることができる。
【００１０】
または、上記第１ディスプレイユニットは、互いに異なる帯電特性を有する第１及び第２表示領域を有し、上記第１表示領域は赤色、緑色及び青色のいずれかに着色され、上記第２表示領域は黒色または白色に着色された回転体であることができる。
【００１１】
または、上記第１ディスプレイユニットは、互いに異なる帯電特性を有する２種類の帯電粒子が分散された透明流体が封入されたマイクロカプセルであることができる。
【００１２】
または、上記第１ディスプレイユニットは、透明流体及び上記透明流体に分散された互いに異なる帯電特性を有する２種類の帯電粒子であることができる。
【００１３】
上記第２ディスプレイユニットは、互いに異なる色に着色され、互いに異なる帯電特性を有する２つの表示領域を有する回転体であることができる。
【００１４】
または、上記第２ディスプレイユニットは、互いに異なる帯電特性を有する２種類の帯電粒子が分散された透明流体が封入されたマイクロカプセルであることができる。
【００１５】
上記第２ディスプレイユニットは、透明流体及び上記透明流体に分散された互いに異なる帯電特性を有する２種類の帯電粒子であることができる。
【００１６】
上記第１基板、上記第２基板及び上記隔壁の少なくとも一方の領域には、上記第２ディスプレイユニットを収容するための溝が形成されることができる。
【００１７】
上記第２ディスプレイユニットは、上記第１基板または上記第２基板のうち上記隔壁に対応する位置に挿入されることができる。
【００１８】
上記第１ディスプレイユニットは、互いに異なる色に着色され、互いに異なる帯電特性を有する２つの表示領域を有する回転体であり、上記第２ディスプレイユニットは、上記第１基板に挿入され、互いに異なる帯電特性を有する２種類の帯電粒子が分散された透明流体が封入されたマイクロカプセルであることができる。
【００１９】
上記第１ディスプレイユニットは、互いに異なる色に着色され、互いに異なる帯電特性を有する２つの表示領域を有する回転体であり、上記第２ディスプレイユニットは上記隔壁に挿入され、互いに異なる帯電特性を有する２種類の帯電粒子が分散された透明流体が封入されたマイクロカプセルであることができる。
【００２０】
上記第１ディスプレイユニットは、互いに異なる色に着色され、互いに異なる帯電特性を有する２つの表示領域を有する回転体であり、上記第２ディスプレイユニットは上記第２基板に挿入され、互いに異なる帯電特性を有する２種類の帯電粒子が分散された透明流体が封入されたマイクロカプセルであることができる。
【００２１】
本発明の他の実施形態は、第２ディスプレイユニットが挿入された第１基板を設ける段階と、上記第１基板上の空間を分けて複数のセル空間を形成するように隔壁を形成する段階と、上記各セル空間に第１ディスプレイユニットを配置する段階と、上記第１基板に対向配置され、上記セル空間を覆うように第２基板を接着する段階と、を含む電子ペーパー表示装置の製造方法を提供する。
【００２２】
上記第１基板は、上記第２ディスプレイユニットが挿入される溝が形成されることができる。
【００２３】
上記隔壁は、上記第２ディスプレイユニットが挿入された位置に形成されることができる。
【００２４】
本発明のさらに他の実施形態は、第１基板を設ける段階と、上記第１基板上の空間を分けて複数のセル空間を形成し、第２ディスプレイユニットが挿入された隔壁を形成する段階と、上記各セル空間に第１ディスプレイユニットを配置する段階と、上記第１基板に対向配置され、上記セル空間を覆うように第２基板を接着する段階と、を含む電子ペーパー表示装置の製造方法を提供する。
【００２５】
本発明のさらに他の実施形態は、第１基板を設ける段階と、上記第１基板上の空間を分けて複数のセル空間を形成するように隔壁を形成する段階と、上記各セル空間に第１ディスプレイユニットを配置する段階と、第２ディスプレイユニットが挿入された第２基板を上記第１基板に対向配置し、上記セル空間を覆うように接着する段階と、を含む電子ペーパー表示装置の製造方法を提供する。
【発明の効果】
【００２６】
本発明による電子ペーパー表示装置は第１ディスプレイユニット及び第２ディスプレイユニットを含む。
【００２７】
上記第１ディスプレイユニットはメイン画像を表示し、第２ディスプレイユニットはメイン画像が表示されない周辺領域に配置されることができる。
【００２８】
これにより、メイン画像が表示されない隔壁、及び回転体間の空間にも画像が表示され、画像精度が高く、優れた対照比及び明るさが得られる。
【図面の簡単な説明】
【００２９】
【図１】本発明の一実施形態による電子ペーパー表示装置を概略的に示す断面図である。
【図２】本発明の一実施形態による回転体を拡大して示す斜視図である。
【図３】本発明の一実施形態によるマイクロカプセルを拡大して示す断面図である。
【図４】本発明の他の実施形態による電子ペーパー表示装置を概略的に示す断面図である。
【図５】本発明の他の実施形態による電子ペーパー表示装置を概略的に示す断面図である。
【図６】本発明のさらに他の実施形態による電子ペーパー表示装置を概略的に示す断面図である。
【図７ａ】本発明の一実施形態による電子ペーパー表示装置の製造方法について説明するための工程別断面図である。
【図７ｂ】本発明の一実施形態による電子ペーパー表示装置の製造方法について説明するための工程別断面図である。
【図７ｃ】本発明の一実施形態による電子ペーパー表示装置の製造方法について説明するための工程別断面図である。
【発明を実施するための形態】
【００３０】
以下、添付の図面を参照して本発明の好ましい実施形態を説明する。但し、本発明の実施形態は様々な他の形態に変形されることができ、本発明の範囲は以下で説明する実施形態に限定されない。また、本発明の実施形態は当業界で平均的な知識を有する者に本発明をより完全に説明するために提供されるものである。従って、図面における要素の形状及び大きさなどは、より明確な説明のために誇張されることがあり、図面上に同じ符号で示される要素は同じ要素である。
【００３１】
図１は、本発明の一実施例による電子ペーパー表示装置を概略的に示す断面図である。図１を参照すると、本実施形態による電子ペーパー表示装置１００は所定の間隔を置いて互いに対向配置される第１基板１１０及び第２基板１２０を含む。
【００３２】
上記第１及び第２基板１１０、１２０の間には複数の隔壁１３０が形成されており、上記隔壁１３０は第１及び第２基板１１０、１２０の間の空間を分けて複数のセル空間ｈを形成する。上記セル空間ｈには、第１ディスプレイユニットとして、電気的及び光学的異方性を有する回転体１４０が配置されている。
【００３３】
上記第１基板１１０及び第２基板１２０は柔軟なプラスチックからなることができる。上記プラスチックは、これに制限されないが、例えば、ポリエチレンテレフタレート（ＰＥＴ）、ポリカーボネート（ＰＣ）、ポリメチルメタクリレート（ＰＭＭＡ）、ポリエチレンナフタレート（ＰＥＮ）、ポリエーテルスルホン（ＰＥＳ）、環型オレフィン高分子（ＣＯＣ）、ポリジメチルシロキサン（ＰＤＭＳ，ｐｏｌｙｄｉｍｅｔｈｙｌｓｉｌｏｘａｎｅ）またはポリウレタンアクリレート（ＰＵＡ，ｐｏｌｙ  ｕｒｅｔｈａｎｅ  ａｃｒｙｌａｔｅ）などを用いることができる。
【００３４】
上記第１基板１１０及び第２基板１２０には、上記回転体１４０に電圧を印加するための第１電極（図示せず）及び第２電極（図示せず）が形成されることができる。
【００３５】
第１電極及び第２電極は導電性材料からなり、本発明の技術分野で通常に使用される電極材料、例えば、ポリチオフェンまたはポリアニリンのような導電性ポリマー、銀またはニッケルのような金属粒子、上記金属粒子を含むポリマーフィルム、インジウムティンオキサイド（ＩＴＯ：Ｉｎｄｉｕｍ−Ｔｉｎ−Ｏｘｉｄｅ）などを用いることができる。
【００３６】
また、第１及び第２基板１１０、１２０には、回転体に印加される電圧の大きさ及び方向を調節するための調節手段が備えられることができる。
【００３７】
上記第２基板１２０及び第２電極は表示面として提供されることができ、このために上記第２基板１２０及び第２電極は光透過性物質からなることができる。
【００３８】
上記第１及び第２基板１１０、１２０の間の空間には複数の隔壁１３０が形成される。上記隔壁１３０は上記第１及び第２基板１１０、１２０の間の空間を分けて複数のセル空間ｈを形成する。本発明では隔壁の間の空間をセル空間と定義する。
【００３９】
上記隔壁１３０は柔軟な材料からなり、特に制限されないが、熱硬化性樹脂またはＵＶ硬化性樹脂を用いることができる。
【００４０】
例えば、ポリエチレンテレフタレート（ＰＥＴ）、ポリカーボネート（ＰＣ）、ポリメチルメタクリレート（ＰＭＭＡ）、ポリエチレンナフタレート（ＰＥＮ）、ポリエーテルスルホン（ＰＥＳ）、環型オレフィン高分子（ＣＯＣ）、ポリジメチルシロキサン（ＰＤＭＳ，ｐｏｌｙｄｉｍｅｔｈｙｌｓｉｌｏｘａｎｅ）またはポリウレタンアクリレート（ＰＵＡ，ｐｏｌｙ  ｕｒｅｔｈａｎｅ  ａｃｒｙｌａｔｅ）などを用いることができる。
【００４１】
上記隔壁１３０は、必要に応じて透明な物質からなることができる。
【００４２】
上記各セル空間ｈには、第１ディスプレイユニットとして電気的及び光学的異方性を有する回転体１４０がそれぞれ配置される。また、上記セル空間ｈには上記回転体が容易に回転できるように、誘電液（ｄｉｅｌｅｃｔｒｉｃ  ｌｉｑｕｉｄ）が充填されることができる。
【００４３】
図２は、上記回転体１４０を拡大して概略的に示した斜視図である。図２を参照すると、回転体１４０は互いに異なる色に着色され、互いに異なる帯電特性を有する２つの表示領域１４０ａ、１４０ｂを有する。上記２つの表示領域は互いに異なる色に着色されることができ、第１表示領域１４０ａは白色に着色され、第２表示領域１４０ｂは黒色に着色されることができる。第１表示領域１４０ａが正電荷に帯電される場合、第２表示領域１４０ｂは負電荷に帯電される。上記回転体１４０に電圧が印加されると、電圧の大きさ及び方向に応じて回転し、２つの表示領域に着色された色相によって黒色または白色を表示するようになる。
【００４４】
上記回転体１４０を電気的及び光学的に処理して第１及び第２表示領域１４０ａ、１４０ｂを形成する方法には当業界における公知の方法を用いることができる。例えば、２つの着色液を備える回転ディスクに回転体を投入した後、上記回転体に遠心力を作用させる方法などを用いることができる。
【００４５】
回転体１４０の形態は特に制限されないが、例えば、球状、楕円状またはシリンダー状であることができる。
【００４６】
また、黒色や白色ではない多様な色に第１及び第２表示領域を着色させることができる。
【００４７】
例えば、第１表示領域は赤色、緑色及び青色のいずれかに着色され、第２表示領域は黒色または白色に着色されることができる。
【００４８】
本実施形態において、上記第１基板１１０には、第２ディスプレイユニットとして、互いに異なる帯電特性を有する２種類の粒子が分散された透明流体が封入されたマイクロカプセル１５０が挿入されている。
【００４９】
図３は、マイクロカプセル１５０を拡大して示した断面図である。図３を参照すると、マイクロカプセル１５０は電気泳動現象により移動する異なる帯電特性を有する２種類の粒子１５０ａ、１５０ｂが分散された透明流体（ｔｒａｎｓｐａｒｅｎｔ  ｆｌｕｉｄ）がカプセルの外壁１５０ｃにより封入される。上記透明流体内に分散された帯電粒子は正電荷を帯びた白色粒子１５０ａと負電荷を帯びた黒色粒子１５０ｂであることができる。
【００５０】
上記マイクロカプセル１５０に電圧が印加されると、帯電された粒子１５０ａ、１５０ｂが飛翔または下降し、黒色または白色が表現される。
【００５１】
上記第１及び第２基板１１０、１２０に形成された第１及び第２電極によって回転体１４０に電圧が印加される。印加された電圧の方向に応じて回転体１４０に形成された荷電状態が平衡になるように回転し、２つの表示領域に着色された色相によって黒色または白色を表示するようになる。即ち、セル空間に配置された回転体によってメイン画像が表現される。
【００５２】
ディスプレイユニットが隔壁などにより区画されて配置された場合、隔壁及びディスプレイユニット間の空間のようにメイン画像が表現されない領域が存在するようになり、よって、画像精度が低下することがある。
【００５３】
また、隔壁及びディスプレイユニット間の空間が黒色または白色などの固定された色を表す場合、電子ペーパー表示装置の対照比（Ｃｏｎｔｒａｓｔ）または明るさ（Ｂｒｉｇｈｔｎｅｓｓ）が低下することがある。
【００５４】
より具体的には、隔壁及びディスプレイユニット間の空間が黒色を表す場合、メイン画像の対照比には優れるが、明るさが低下する恐れがある。これに対し、隔壁及びディスプレイユニット間の空間が白色を表す場合には、メイン画像の明るさには優れるが、対照比が低下することがある。
【００５５】
本実施形態によると、第１基板１１０には、第２ディスプレイユニットとしてマイクロカプセル１５０が挿入されている。本実施形態において、第２ディスプレイユニットとは、第１ディスプレイユニットによってメイン画像が表現されない領域に挿入されて補助画像を表示するディスプレイユニットのことを意味する。
【００５６】
第１ディスプレイユニットは、第２ディスプレイユニットより大きいサイズを有することができ、本実施形態において、上記回転体の粒径は４０μｍ〜８０μｍ、上記マイクロカプセルの粒径は２０μｍ〜５０μｍであることができる。
【００５７】
回転体１４０の白色を表す表示領域が正電荷に帯電され、黒色を表す表示領域が負電荷に帯電される場合、マイクロカプセルの白色粒子は正電荷を帯び、黒色粒子は負電荷を帯びることができる。
【００５８】
これによって、第１基板に挿入されたマイクロカプセル１５０のうち黒色を表す回転体１４０の周辺領域にあるマイクロカプセル１５０も黒色を表し、白色を表す回転体１４０の周辺領域にあるマイクロカプセル１５０も白色を表すようになる。即ち、メイン画像が表示されない周辺領域が電圧の印加により黒色または白色に切り替えられる。
【００５９】
本実施形態によると、隔壁及び回転体間の空間にも画像が表示されて画像精度が高く、優れた対照比及び明るさが得られる。
【００６０】
また、回転体の第１表示領域が赤色（Ｒｅｄ）、緑色（Ｇｒｅｅｎ）または青色（Ｂｌｕｅ）に着色され、正電荷に帯電され、第２表示領域が黒色または白色に着色され、負電荷に帯電された場合、マイクロカプセルの正電荷を帯びた帯電粒子は赤色（Ｒｅｄ）、緑色（Ｇｒｅｅｎ）または青色（Ｂｌｕｅ）に着色され、負電荷を帯びた帯電粒子は黒色または白色に着色されることができる。
【００６１】
これにより、色を表示する電子ペーパー表示装置の画像精度が高く、優れた対照比及び明るさの表現が可能となる。
【００６２】
また、色を表示するための回転体及びマイクロカプセルの色の組み合わせはシアン（Ｃｙａｎ）、マゼンタ（Ｍａｇｅｎｔａ）及び黄色（Ｙｅｌｌｏｗ）であることができる。
【００６３】
また、図示されてはいないが、本発明の一実施形態によると、第１ディスプレイユニットは、互いに異なる帯電特性を有する２種類の粒子が分散された透明流体が封入されたマイクロカプセルであることができる。上述したように、マイクロカプセルに電圧が印加されると、帯電された粒子が飛翔または下降し、黒色または白色が表現されてメイン画像を表示する。
【００６４】
また、本発明の一実施形態によると、第１ディスプレイユニットとして、セル空間に透明流体及び、上記透明流体に分散された互いに異なる帯電特性を有する２種類の帯電粒子が配置されることができる。
【００６５】
また、第１基板には、第２ディスプレイユニットとして、マイクロカプセル、回転体または互いに異なる帯電特性を有し、互いに異なる色に着色された２種類の帯電粒子が配置されることができる。第１基板に配置された第２ディスプレイユニットは第１ディスプレイユニットにより表示されるメイン画像と同様に白色または黒色を表示することができる。
【００６６】
本発明において第２ディスプレイユニットは、隔壁、回転体間の領域などのメイン画像が表示されない領域に補助画像を具現できるものであれば特に制限されないが、例えば、エレクトロウェッティング（ｅｌｅｃｔｒｏｗｅｔｔｉｎｇ）によって具現できる。
【００６７】
図４は、本発明の他の実施形態による電子ペーパー表示装置を示す概略的な断面図である。上述した実施例と異なる構成要素を中心に説明し、同じ構成要素についての詳しい説明は省略する。
【００６８】
図４を参照すると、本実施形態による電子ペーパー表示装置４００は、所定の間隔を置いて互いに対向配置される第１基板４１０及び第２基板４２０を含む。
【００６９】
上記第１及び第２基板４１０、４２０の間には複数の隔壁４３０が形成されており、上記隔壁４３０は第１及び第２基板４１０、４２０の間の空間を分けて複数のセル空間を形成する。上記セル空間には、第１ディスプレイユニットとして、電気的及び光学的異方性を有する回転体４４０が配置されている。
【００７０】
上記第１基板４１０には、第２ディスプレイユニットとして、透明流体及び上記透明流体に分散された互いに異なる帯電特性を有する２種類の帯電粒子４５０が挿入されている。
【００７１】
上記第１基板４１０には透明流体及び帯電粒子を収容するための溝４６０が形成されることができる。上記溝に挿入される２種類の帯電粒子は上記回転体４４０の帯電特性と同様に白色粒子は正電荷に荷電され、黒色粒子は負電荷に荷電されることができる。これによって、第１基板に配置された第２ディスプレイユニットは、第１ディスプレイユニットにより表示されるメイン画像と同様に白色または黒色を表示することができる。
【００７２】
図示したように、上記溝４６０は、区画される複数の溝で構成されてもよい。また、図示されてはいないが、溝は第１基板の全域に亘って１つの溝で形成されることができる。
【００７３】
上記溝４６０は、第１基板４１０のうち隔壁４３０が形成される位置に形成されることができる。また、１つの溝４６０は１つの隔壁に対応し、２つのセル空間に亘って形成されることができる。即ち、１つのセル空間には２つの溝４６０とマッチングされていることができる。１つの溝４６０に配置される２種類の帯電粒子はセル空間に配置された回転体と同様に、一部は白色粒子が上昇し、一部は黒色粒子が上昇することができる。
【００７４】
上記隔壁４１０と回転体間の空間は第２ディスプレイユニット４５０によって補助画像を表示する。これにより、電子ペーパー表示装置の画像精度が高く、優れた対照比及び明るさの表現が可能となる。
【００７５】
図５は本発明の他の実施形態による電子ペーパー表示装置を示す概略的な断面図である。上述した実施例と異なる構成要素を中心に説明し、同じ構成要素についての詳しい説明は省略する。
【００７６】
図５を参照すると、本実施形態による電子ペーパー表示装置２００は所定の間隔を置いて互いに対向配置される第１基板２１０及び第２基板２２０を含む。
【００７７】
上記第１及び第２基板２１０、２２０の間には複数の隔壁２３０が形成されており、上記隔壁２３０は第１及び第２基板２１０、２２０の間の空間を分けて複数のセル空間ｈを形成する。上記セル空間ｈには、第１ディスプレイユニットとして、電気的及び光学的異方性を有する回転体２４０が配置されている。
【００７８】
本実施形態において、上記隔壁２３０には、第２ディスプレイユニットとして、互いに異なる帯電特性を有する２種類の粒子が分散された透明流体が封入されたマイクロカプセル２５０が挿入されている。
【００７９】
回転体２４０の白色を表す表示領域が正電荷に帯電され、黒色を表す表示領域が負電荷に帯電される場合、マイクロカプセルの白色粒子は正電荷を帯び、黒色粒子は負電荷を帯びることができる。
【００８０】
これにより、隔壁に挿入されたマイクロカプセル２５０のうち黒色を表す回転体２４０に隣接するマイクロカプセル２５０も黒色を表し、白色を表す回転体２４０に隣接するマイクロカプセル２５０も白色を表すようになる。
【００８１】
本実施形態によると、隔壁にディスプレイユニットが配置され、これによって画像が表示されて画像精度が高くなる。また、電子ペーパー表示装置の対照比及び明るさが向上することができる。
【００８２】
また、図示されてはいないが、上述したように、第１ディスプレイユニットとして、互いに異なる帯電特性を有する２種類の粒子が分散された透明流体が封入されたマイクロカプセルが配置されたり、セル空間に透明流体及び上記透明流体に分散され、互いに異なる色に着色され、互いに異なる帯電特性を有する２種類の帯電粒子が配置されることができる。
【００８３】
また、隔壁には、第２ディスプレイユニットとして、マイクロカプセル、回転体または透明流体及び上記透明流体に分散された互いに異なる帯電特性を有する２種類の帯電粒子が配置されることができる。上記隔壁には第２ディスプレイユニットを収容するための溝が形成されることができる。
【００８４】
図６は本発明の他の実施形態による電子ペーパー表示装置を示す概略的な断面図である。上述した実施例と異なる構成要素を中心に説明し、同じ構成要素についての詳しい説明は省略する。
【００８５】
図６を参照すると、本実施形態による電子ペーパー表示装置３００は所定の間隔を置いて互いに対向配置される第１基板３１０及び第２基板３２０を含む。
【００８６】
上記第１及び第２基板３１０、３２０の間には複数の隔壁３３０が形成されており、上記隔壁３３０は第１及び第２基板３１０、３２０の間の空間を分けて複数のセル空間ｈを形成する。上記セル空間ｈには、第１ディスプレイユニットとして、電気的及び光学的異方性を有する回転体３４０が配置されている。
【００８７】
本実施形態において、上記第２基板３２０には、第２ディスプレイユニットとして、互いに異なる帯電特性を有する２種類の粒子が分散された透明流体が封入されたマイクロカプセル３５０が挿入されている。上記マイクロカプセル３５０は回転体間の空間を埋めるよう第２基板３２０の特定位置に挿入されることができる。上記マイクロカプセル３５０は、第２基板において隔壁３５０と対応する位置に挿入されることができる。
【００８８】
上記回転体３４０の白色を表す表示領域が正電荷に帯電され、黒色を表す表示領域が負電荷に帯電される場合、マイクロカプセル３５０の白色粒子は正電荷を帯び、黒色粒子は負電荷を帯びることができる。
【００８９】
これによって、第２基板に挿入されたマイクロカプセル３５０のうち黒色を表す回転体３４０に隣接するマイクロカプセル３５０も黒色を表し、白色を表す回転体３４０に隣接するマイクロカプセル３５０も白色を表すことができる。
【００９０】
本実施形態によると、回転体間の空間を埋めるよう第２基板にディスプレイユニットが配置され、これによって画像が表示されて画像精度が高くなる。また、電子ペーパー表示装置の対照比及び明るさが向上することができる。
【００９１】
また、図示されてはいないが、上述したように、第１ディスプレイユニットとして、互いに異なる帯電特性を有する２種類の粒子が分散された透明流体が封入されたマイクロカプセルが配置されたり、セル空間に透明流体及び上記透明流体に分散され、互いに異なる色に着色され、互いに異なる帯電特性を有する２種類の帯電粒子が配置されることができる。
【００９２】
また、第２基板には、第２ディスプレイユニットとして、マイクロカプセル、回転体または透明流体及び上記透明流体に分散された互いに異なる帯電特性を有する２種類の帯電粒子が配置されることができる。上記第２基板には第２ディスプレイユニットを収容するための溝が形成されることができる。
【００９３】
以下、本発明の一実施例による電子ペーパー表示装置の製造方法について説明する。
【００９４】
図７ａから図７ｃは、本発明の一実施例による電子ペーパー表示装置の製造工程を説明するための工程別断面図である。
【００９５】
まず、図７ａに示すように第１基板を設ける。第１基板は柔軟なプラスチックで形成されることができ、第１基板の形成時、第２ディスプレイユニットとして使用されるマイクロカプセル１５０を挿入して形成することができる。
【００９６】
図示されてはいないが、マイクロカプセル以外にも回転体を挿入したり、第１基板の内部に溝を設けて透明流体及び上記透明流体に分散された互いに異なる帯電特性を有する２種類の帯電粒子を挿入してもよい。このとき、上記溝は第１基板の全域に亘って１つの溝で形成されることができる。または、区画される複数の溝で形成されることができる。このとき、上記区画される溝の位置は、この後に形成される隔壁の位置に対応するように形成される。
【００９７】
次に、図７ｂに示すように、上記第１基板１１０上の空間を分けて複数のセル空間ｈを形成する隔壁１３０を形成する。上記隔壁１３０は熱硬化性樹脂またはＵＶ硬化性樹脂からなり、一定厚さの樹脂層を形成した後、パターニング工程により隔壁を形成することができる。
【００９８】
例えば、インプリント工程を利用することができる。まず、一定厚さの樹脂層を形成した後、陽刻及び陰刻パターンを有するスタンプで上記樹脂層を圧着することにより複数の隔壁を形成することができる。スタンプの陽刻及び陰刻パターンに応じて、隔壁及び隔壁により区画されるセル空間が形成される。このとき、スタンプの陽刻及び陰刻パターンを調節することで、隔壁の間隔及びセルの形態及びサイズを調節できる。
【００９９】
次に、図７ｃに示すように、上記複数のセル空間ｈに第１ディスプレイユニットとして用いられる回転体１４０を配置する。上記回転体１４０は、マスク及びスキージなどを用いてセル空間に注入されることができる。
【０１００】
そして、上記第１基板１１０に対向配置され、上記セル空間ｈを覆うように第２基板１２０を接着する。これによって、図１に示すような電子ペーパー表示装置を製造することができる。
【０１０１】
また、図示されてはいないが、柔軟なプラスチックで第１基板を形成し、上記第１基板上の空間を空間を分けて複数のセル空間を形成するように隔壁を形成することができる。このとき、上記隔壁には第２ディスプレイユニットを挿入することができる。
【０１０２】
その後、上記セル空間に第１ディスプレイユニットを配置し、上記第１基板に対向配置され、上記セル空間を覆うように第２基板を接着する。これによって、図４に示すような電子ペーパー表示装置を製造することができる。
【０１０３】
また、図示されてはいないが、柔軟なプラスチックで第１基板を形成し、上記第１基板上の空間を空間を分けて複数のセル空間を形成するように隔壁を形成することができる。
【０１０４】
その後、上記セル空間に第１ディスプレイユニットを配置する。次いで、第２ディスプレイユニットが挿入された第２基板を設け、上記セル空間を覆い、上記第１基板に対向配置されるように上記第２基板を接着する。これによって、図５に示すような電子ペーパー表示装置を製造することができる。
【０１０５】
本発明は上述した実施形態及び添付された図面により限定されるものではなく、添付された請求範囲により限定される。従って、請求範囲に記載された本発明の技術的思想を外れない範囲内において多様な形態の置換、変形及び変更が可能であることは当技術分野の通常の知識を有する者には自明であり、これも添付された請求範囲に記載された技術的思想に属する。
【符号の説明】
【０１０６】
１１０、２１０、３１０、４１０：第１基板
１２０、２２０、３２０、４２０：第２基板
１３０、２３０、３３０、４３０：隔壁
１４０、２４０、３４０、４４０：回転体
１５０、２５０、３５０：マイクロカプセル
４５０：透明流体及び帯電粒子
４６０：溝
【図１】
0005579763.tif 000002
【図２】
0005579763.tif 000003
【図３】
0005579763.tif 000004
【図４】
0005579763.tif 000005
【図５】
0005579763.tif 000006
【図６】
0005579763.tif 000007
【図７ａ】
0005579763.tif 000008
【図７ｂ】
0005579763.tif 000009
【図７ｃ】
0005579763.tif 000010